(57)【特許請求の範囲】
【請求項１】
ベースと、
前記ベースに組み付けられる電磁石ブロックと、
前記電磁石ブロックの励磁、非励磁によって往復移動する接極子と、
前記接極子の移動に伴ってスライドするカードと、
前記カードのスライドに伴って移動する可動接点を有し、前記ベースに組み付けられる可動接点部と、
前記可動接点の移動に伴って当該可動接点が接離する固定接点を有し、前記ベースに組み付けられる固定接点部と、
を備え、
前記固定接点部は、前記固定接点が取り付けられる本体部と、前記本体部に連設されるとともに前記ベースに挿入される端子部と、を備えており、
前記本体部および前記端子部は、板状の固定接点素材を屈曲することで形成されており、
前記固定接点素材は、前記本体部となる本体部形成予定部と、前記端子部となる端子部形成予定部と、を備えており、
前記端子部形成予定部は、基部が前記本体部形成予定部の一端側に連結されるとともに、先端が前記基部よりも前記本体部形成予定部の他端側に位置するように形成されており、
前記端子部形成予定部を前記先端が前記本体部形成予定部の一端側に向けて突出するように曲げることで、前記端子部が形成されていることを特徴とする電磁リレー。
【請求項２】
前記固定接点部は、前記可動接点の移動に伴って当該可動接点に接離する第１の固定接点を有し、前記ベースの前記可動接点部よりも前記カード側に配置される第１の固定接点部と、前記可動接点の移動に伴って当該可動接点に接離する第２の固定接点を有し、前記ベースの前記可動接点部よりも前記カード側とは反対側に配置される第２の固定接点部と、を備えており、
前記第１の固定接点部と前記第２の固定接点部とは、同一形状の固定接点素材を用いて本体部および端子部が形成されていることを特徴とする請求項１に記載の電磁リレー。
【請求項３】
固定接点と、前記固定接点が形成される本体部と、前記本体部に連設される端子部と、を備える固定接点部の前記本体部および前記端子部を形成するための固定接点素材であって、
前記固定接点素材は、前記本体部となる本体部形成予定部と、前記端子部となる端子部形成予定部と、を備えており、
前記端子部形成予定部は、基部が前記本体部形成予定部の一端側に連結されるとともに、先端が前記基部よりも前記本体部形成予定部の他端側に位置するように形成されていることを特徴とする固定接点素材。
【発明の詳細な説明】
【技術分野】
【０００１】
本発明は、固定接点素材および当該固定接点素材を用いて形成された固定接点部を備える電磁リレーに関する。
【背景技術】
【０００２】
従来、電磁リレーとして、電磁石ブロックの励磁、非励磁によって往復移動する可動鉄片と、当該可動鉄片の移動に伴ってスライドするカードと、を備え、カードのスライドに伴って可動接触片に形成された可動接点を移動させることで、固定接触片に形成された固定接点に可動接点を接離させるようにしたものが知られている（例えば、特許文献１参照）。
【０００３】
この特許文献１では、固定接触片は、固定接点が取り付けられる本体部と、本体部に連設される端子部と、を備えており、板状の素材を屈曲させることで本体部および端子部が形成されている。
【０００４】
そして、板状の素材は、本体部となる本体部形成予定部と、当該本体部形成予定部に連設されて端子部となる端子部形成予定部と、を備えており、端子部形成予定部を屈曲させることで固定接触片の本体部および端子部を形成している。
【先行技術文献】
【特許文献】
【０００５】
【特許文献１】特開２００８−２３５０６４号公報
【発明の概要】
【発明が解決しようとする課題】
【０００６】
しかしながら、上記従来の技術では、端子部形成予定部は、本体部形成予定部の一端側から本体部形成予定部の外側に向けて延びるように設けられている。すなわち、端子部形成予定部は、先端が本体部形成予定部から離れる方向に突出するように延設されている。
【０００７】
このような形状とすると、板状部材から素材を金型で型抜きした際に、素材として用いられない領域が大きくなってしまう。すなわち、素材として使用されない無駄な部分が多くなってしまう。
【０００８】
このように、上記従来の技術では、材料の歩留まりが低下してしまい、コストが嵩んでしまうという問題があった。
【０００９】
そこで、本発明は、コストの削減を図ることのできる固定接点素材および当該固定接点素材を用いて形成された固定接点部を備える電磁リレーを得ることを目的とする。
【課題を解決するための手段】
【００１０】
本発明にかかる電磁リレーは、ベースと、前記ベースに組み付けられる電磁石ブロックと、前記電磁石ブロックの励磁、非励磁によって往復移動する接極子と、前記接極子の移動に伴ってスライドするカードと、を備えている。
【００１１】
また、電磁リレーは、前記カードのスライドに伴って移動する可動接点を有し、前記ベースに組み付けられる可動接点部と、前記可動接点の移動に伴って当該可動接点が接離する固定接点を有し、前記ベースに組み付けられる固定接点部と、を備えている。
【００１２】
そして、前記固定接点部は、前記固定接点が取り付けられる本体部と、前記本体部に連設されるとともに前記ベースに挿入される端子部と、を備えており、前記本体部および前記端子部は、板状の固定接点素材を屈曲することで形成されている。
【００１３】
前記固定接点素材は、前記本体部となる本体部形成予定部と、前記端子部となる端子部形成予定部と、を備えている。
【００１４】
また、前記端子部形成予定部は、基部が前記本体部形成予定部の一端側に連結されるとともに、先端が前記基部よりも前記本体部形成予定部の他端側に位置するように形成されている。
【００１５】
そして、前記端子部形成予定部を前記先端が前記本体部形成予定部の一端側に向けて突出するように曲げることで、前記端子部が形成されている。
【００１６】
また、本発明にかかる固定接点素材は、固定接点と、前記固定接点が形成される本体部と、前記本体部に連設される端子部と、を備える固定接点部の前記本体部および前記端子部を形成するために用いられるものである。
【００１７】
また、前記固定接点素材は、前記本体部となる本体部形成予定部と、前記端子部となる端子部形成予定部と、を備えている。
【００１８】
そして、前記端子部形成予定部は、基部が前記本体部形成予定部の一端側に連結されるとともに、先端が前記基部よりも前記本体部形成予定部の他端側に位置するように形成されている。
【発明の効果】
【００１９】
本発明によれば、コストの削減を図ることのできる固定接点素材および当該固定接点素材を用いて形成された固定接点部を備える電磁リレーを得ることができる。
【図面の簡単な説明】
【００２０】
【図１】本発明の一実施形態にかかる電磁リレーを示す斜視図である。
【図２】本発明の一実施形態にかかる電磁リレーを示す分解斜視図である。
【図３】本発明の一実施形態にかかる電磁石ブロックを示す斜視図である。
【図４】本発明の一実施形態にかかるコイルボビンを示す図であって、（ａ）は前後方向の一方側から視た斜視図、（ｂ）は前後方向の他方側から視た斜視図である。
【図５】本発明の一実施形態にかかる鉄芯を示す斜視図である。
【図６】本発明の一実施形態にかかるコイル端子を示す斜視図である。
【図７】本発明の一実施形態にかかる継鉄を示す図であって、（ａ）は上側から視た斜視図、（ｂ）は下側から視た斜視図である。
【図８】本発明の一実施形態にかかるヒンジばねを示す斜視図である。
【図９】本発明の一実施形態にかかる接極子を示す斜視図である。
【図１０】本発明の一実施形態にかかるカードを示す斜視図である。
【図１１】本発明の一実施形態にかかる可動接点部を示す斜視図である。
【図１２】本発明の一実施形態にかかる第１の固定接点部を示す図であって、（ａ）は前後方向の一方側から視た斜視図、（ｂ）は前後方向の他方側から視た斜視図、（ｃ）は側面図である。
【図１３】本発明の一実施形態にかかる第２の固定接点部を示す図であって、（ａ）は前後方向の一方側から視た斜視図、（ｂ）は前後方向の他方側から視た斜視図、（ｃ）は側面図である。
【図１４】本発明の一実施形態にかかる固定接点素材を示す図であって、（ａ）は斜視図、（ｂ）は正面図、（ｃ）は側面図である。
【図１５】本発明の一実施形態にかかるベースを示す図であって、（ａ）は前後方向の一方側から視た斜視図、（ｂ）は前後方向の他方側から視た斜視図である。
【図１６】本発明の一実施形態にかかるベースを示す側面図である。
【図１７】本発明の一実施形態にかかるベースを示す平面図である。
【図１８】本発明の一実施形態にかかるカードの押圧部と可動接点部の被押圧部を模式的に示す水平断面図である。
【図１９】本発明の一実施形態にかかるカードが可動接点を押圧する状態を模式的に示す図であって、（ａ）は平面図、（ｂ）は側面図である。
【図２０】本発明の一実施形態にかかるベースに可動接点部および第１の固定接点部を組み付けた状態を示す斜視図である。
【図２１】図２０に示すベースにカードを組み付けた状態を示す斜視図である。
【図２２】カードを図２０に示すベースに組み付ける際に誘い込み部が可動接点部を押圧する状態を説明する説明図である。
【図２３】図２１に示すベースに電磁石ブロックを組み付けた状態を示す斜視図である。
【図２４】図２３に示すカードに接極子を載置しつつ電磁石ブロックに接極子を係止させた状態を示す斜視図である。
【図２５】図２４に示すベースに第２の固定接点部を組み付けた状態を示す斜視図である。
【図２６】図２４に示すベースに第２の固定接点部を組み付けた状態を示す平面図である。
【発明を実施するための形態】
【００２１】
以下、本発明の実施形態について図面を参照しながら詳細に説明する。以下では、電磁リレーの長手方向（カードのスライド方向、レール部の延在方向）を前後方向（Ｘ方向）、電磁リレーの短手方向（レール部の並設方向、境界線の延在方向）を幅方向（Ｙ方向）として説明する。そして、電磁リレーの厚さ方向（カードおよび接点部の組付方向）を上下方向（Ｚ方向）として説明する。
【００２２】
また、以下では、電磁リレーの接点部が配置される側を前後方向前方、電磁石ブロックが配置される側を前後方向後方とし、接点部の端子部が突出する側を上下方向下方として説明する。
【００２３】
本実施形態にかかる電磁リレー１は、図１に示すように、略直方体状のハウジング２０を備えている。
【００２４】
ハウジング２０は、接点装置１０が組み付けられる樹脂製のベース２００と、一端が開口した略箱形状をしており、接点装置１０が組み付けられたベース２００を覆うように配置される樹脂製のカバー２０１と、を備えている。
【００２５】
そして、ベース２００をカバー２０１で覆うことで、ハウジング２０の内部に接点装置１０を収容している。
【００２６】
この接点装置１０は、電磁石ブロック３０と、電磁石ブロック３０の励磁、非励磁によって往復移動する接極子４０と、接極子４０の移動に伴ってスライドするカード５０と、可動接点部６００および固定接点部７００を有する接点部６０と、で構成されるものである（図２参照）。
【００２７】
そして、接点装置１０が組み付けられたベース２００をカバー２０１で覆った状態で、ベース２００の裏面側に接着剤（図示せず）を塗布することで、接点装置１０をベース２００に固定するとともに、ベース２００とカバー２０１とを固定している。
【００２８】
電磁石ブロック３０は、図２および図３に示すように、コイル３１０と、中空円筒状の筒状部３２４を有し、当該筒状部３２４にコイル３１０が巻回されるコイルボビン３２０と、を備えている。
【００２９】
また、電磁石ブロック３０は、コイルボビン３２０の筒状部３２４に形成された挿入穴３２４ａに挿入される鉄芯３３０と、鉄芯３３０の先端３３２ａに固定される略Ｌ字状の継鉄３５０と、を備えている。
【００３０】
さらに、電磁石ブロック３０は、コイルボビン３２０に取り付けられ、コイル３１０が絡げられるコイル端子３４０と、継鉄３５０に取り付けられ、接極子４０を付勢するヒンジばね３６０と、を備えている。
【００３１】
コイルボビン３２０は、図４に示すように、前後方向（Ｘ方向）に延在し、コイル３１０が巻回される円筒状の筒状部３２４を備えており、例えば、合成樹脂材料を成形加工することで形成することができる。この筒状部３２４には、鉄芯３３０の軸部３３２が挿入される挿入穴３２４ａが形成されている。
【００３２】
また、筒状部３２４の前端側には前側鍔部３２１が形成されており、後端側には後側鍔部３２２が形成されている。
【００３３】
本実施形態では、前側鍔部３２１および後側鍔部３２２の上部は、上側に向かうにつれて幅方向（Ｙ方向）の幅が狭くなるように形成されている。このように、前側鍔部３２１および後側鍔部３２２の上部を幅狭とすることで、幅狭のカード５０を用いた場合であっても、カード５０とコイルボビン３２０との干渉を抑制できるようにしている。こうすることで、電磁リレー１の幅方向（Ｙ方向）の小型化を図っている。
【００３４】
また、前側鍔部３２１の上端の幅方向（Ｙ方向）の両端には、前後方向（Ｘ方向）の前方に突出する位置決め片３２１ａがそれぞれ形成されている。そして、この一対の位置決め片３２１ａ，３２１ａの間に、後述する継鉄３５０の上側突部３５１ｂを配置させることで、継鉄３５０の位置決めがなされるようにしている。このとき、継鉄３５０の上側突部３５１ｂを一対の位置決め片３２１ａ，３２１ａで挟持することで継鉄３５０の位置決めがなされるようにするのが好ましい。こうすれば、継鉄３５０をコイルボビン３２０に仮固定することができ、後述するように、鉄芯３３０と継鉄３４０とをカシメ固定する際に、継鉄３５０がコイルボビン３２０に対して位置ずれしてしまうのを抑制することが可能となる。
【００３５】
一方、後側鍔部３２２には、鉄芯３３０の頭部３３１が配置される円形凹部３２２ａが形成されている。この円形凹部３２２ａは、挿入穴３２４ａと略同心となるように形成されており、鉄芯３３０の軸部３３２を挿入穴３２４ａに挿入させた際に、この円形凹部３２２ａに頭部３３１が収容されるようにしている。なお、円形凹部３２２ａ内における挿入穴３２４ａの周囲には、頭部３３１の位置決めを行う位置決め突起３２２ｂが複数形成されている。
【００３６】
さらに、本実施形態では、後側鍔部３２２の下端の幅方向（Ｙ方向）の両端に、前後方向（Ｘ方向）の後方に突出する台座部３２３がそれぞれ形成されている。この台座部３２３，３２３は、後述するベース２００の載置部２３２，２３２にそれぞれ載置されるものである。また、各台座部３２３には上下方向（Ｚ方向）に貫通する挿通孔３２３ａがそれぞれ形成されており、この挿通孔３２３ａにコイル端子３４０を圧入することで、コイル端子３４０がコイルボビン３２０に固定されている。
【００３７】
さらに、各台座部３２３の後部における幅方向（Ｙ方向）の外側には、下方に向けて突出する挟持片３２３ｂがそれぞれ形成されている。そして、電磁石ブロック３０をベース２００に組み付けた際には、後述するベース２００の後側突出部２３１の被挟持部２３１ａが一対の挟持片３２３ｂ，３２３ｂで挟持されるようになっている。
【００３８】
鉄芯３３０は、図５に示すように、磁性材料を用いて形成されており、略円板状の頭部３３１と、頭部３３１の前側の中心部から前後方向（Ｘ方向）の前方に延設された軸部３３２と、を備えている。そして、軸部３３２の先端３３２ａを円形凹部３２２ａ側から挿入穴３２４ａに挿入し、頭部３３１を円形凹部３２２ａに収容することで、鉄芯３３０がコイルボビン３２０に挿入される。なお、鉄芯３３０の頭部３３１は、コイル３１０に通電した際に磁極部として機能するものである。
【００３９】
コイル端子３４０は、本実施形態では、図６に示すように、クランク状に屈曲されており、コイル端子３４０の上端を下側から台座部３２３の挿通孔３２３ａに挿入することで、コイルボビン３２０に取り付けられている。このとき、コイル端子３４０の圧入部３４１を挿通孔３２３ａに圧入させることで、コイル端子３４０を台座部３２３に圧入固定している。
【００４０】
継鉄３５０は、図７に示すように、縦壁部３５１と横壁部３５２とで略Ｌ字状に形成されており、コイル３１０の周辺に磁束の磁路を形成するものである。この継鉄３５０は、例えば、板状の磁性材料をプレス成形することで形成することができる。
【００４１】
縦壁部３５１の中央部には、鉄芯３３０の軸部３３２の先端３３２ａが挿入される挿通孔３５１ａが、前後方向（Ｘ方向、縦壁部３５１の厚さ方向）に貫通するように形成されている。そして、この挿通孔３５１ａに鉄芯３３０の軸部３３２の先端３３２ａを挿入してカシメ固定することで、鉄芯３３０と継鉄３４０とを固定している。また、縦壁部３５１の上部には、上方に向けて突出する上側突部３５１ｂが形成されており、この上側突部３５１ｂを一対の位置決め片３２１ａ，３２１ａの間に配置させることで、継鉄３４０のコイルボビン３２０に対する位置ずれが抑制されるようにしている。
【００４２】
また、横壁部３５２の下面３５２ｃには、下方に突出する突起部３５２ａが形成されており、この突起部３５２ａにヒンジばね３６０の挿通孔３６１ａを挿通させてカシメ固定することで、ヒンジばね３６０が継鉄３５０に固定されている。また、横壁部３５２の幅方向（Ｙ方向）の両端には、係合突条３５２ｂ，３５２ｂがそれぞれ形成されている。この係合突条３５２ｂ，３５２ｂは、後述する電磁石ブロック収容空間２７０内に形成された係合溝２７１，２７１に挿入することで、係合溝２７１，２７１に係合されるものである。本実施形態では、係合突条３５２ｂ，３５２ｂの前端部３５２ｄ，３５２ｄが、係合溝２７１，２７１に挿入しやすいように、前側に向かうにつれて厚さが薄くなるように形成されている。
【００４３】
ヒンジばね３６０は、図８に示すように、継鉄３５０の横壁部３５２に固定される固定部３６１と、固定部３６１の後端３６１ｂに連設され、側面視で略Ｊ字状となるように屈曲形成されたばね部３６２と、を備えている。このヒンジばね３６０は、例えば、ばね材料からなる板材を屈曲成形することで形成することができる。そして、固定部３６１には上述した挿通孔３６１ａが形成されており、固定部３６１は横壁部３５２の下側に固定されている。
【００４４】
また、ばね部３６２の中央部には十分なばね性が得られるように穴部３６３が形成されており、ばね部３６２は、本実施形態では、両端３６２ａ，３６２ａが固定部３６１の後端３６１ｂに連設された略Ｕ字状の板材を屈曲させた形状をしている。さらに、本実施形態では、ばね部３６２の後端部３６２ｂの幅方向（Ｙ方向）の中央部に、前方かつ下方に延在する係止片３６２ｃが形成されており、この係止片３６２ｃを後述する接極子４０の係合凹部４１ａに係合させることで、接極子４０がヒンジばね３６０に取り付けられるようにしている。
【００４５】
かかる構成をした電磁石ブロック３０は、例えば、以下のようにして組み立てることができる。
【００４６】
まず、コイルボビン３２０の筒状部３２４にコイル３１０を巻回する。その後、台座部３２３，３２３にコイル端子３４０，３４０をそれぞれ圧入固定する。そして、台座部３２３，３２３に圧入固定されたコイル端子３４０，３４０の一方にコイル３１０の一端を絡げるとともに、他方にコイル３１０の他端を絡げる。
【００４７】
また、上記の作業に前後して、継鉄３５０の横壁部３５２に形成された突起部３５２ａに、ヒンジばねに形成された挿通孔３６１ａを挿通してカシメ固定することで、ヒンジばね３６０を継鉄３５０に固定する。
【００４８】
その後、継鉄３５０の縦壁部３５１の上側突部３５１ｂを一対の位置決め片３２１ａ，３２１ａの間に配置させるとともに、挿通孔３５１ａを挿入穴３２４ａに連通させる。このとき、継鉄３５０は、横壁部３５２の固定部３６１が固定される側（横壁部３５２の下面３５２ｃ）が、コイルボビン３２０とは反対側（下側）を向くようにした状態で配置される。
【００４９】
そして、鉄芯３３０の軸部３３２の先端３３２ａを円形凹部３２２ａ側から挿入穴３２４ａに挿入し、頭部３３１を円形凹部３２２ａに収容する。このとき、軸部３３２の先端３３２ａは、継鉄３５０の挿通孔３５１ａに挿通されて前方に突出することとなる。
【００５０】
そして、挿通孔３５１ａの前方に突出した軸部３３２の先端３３２ａをカシメ固定することで、鉄芯３３０および継鉄３５０がコイルボビン３２０に固定される。
【００５１】
こうして、電磁石ブロック３０が組み立てられる。なお、各部材の組み付け順序は上記の順番に限定されるものではない。
【００５２】
接極子４０は、図９に示すように、略長方形状の接極子本体４１を備えており、例えば、板状の磁性材料を用いて形成することができる。この接極子本体４１は、上下方向（Ｚ方向）に細長い長方形状をしており、接極子本体４１の後側の中央下部には係合凹部４１ａが形成されている。そして、この係合凹部４１ａには上述したヒンジばね３６０の係止片３６２ｃが係合されるようになっており、係合凹部４１ａに係止片３６２ｃを係合させることで、接極子４０がヒンジばね３６０に取り付けられるようになっている。こうすることで、電磁石ブロック３０の励磁、非励磁によって揺動（往復移動）するように、接極子４０が電磁石ブロック３０に取り付けられることとなる。
【００５３】
また、接極子本体４１の上部には、突出部４２，４２が幅方向（Ｙ方向）の両側に突出するように形成されている。そして、この突出部４２，４２をカード５０に形成された後述する載置部５５０，５５０に載置することで、カード５０が接極子４０の動き（揺動）に連動してスライドするようにしている。
【００５４】
カード５０は、接極子４０の往復動に連動して往復スライドするものであり、本実施形態では、前後方向（Ｘ方向）に往復スライドするようにベース２００に保持されている。
【００５５】
このカード５０は、図１０に示すように、前後方向（Ｘ方向）に延在し、後述するベース部２００に形成されたレール部２９０に沿って前後方向（Ｘ方向）に往復スライドするスライド片５１０を備えている。
【００５６】
本実施形態では、カード５０は、前後方向（Ｘ方向）に延在し、ベース部２００に形成された第１のレール部２９０Ａに沿って前後方向（Ｘ方向）に往復スライドする第１のスライド片５１０Ａを備えている。
【００５７】
また、カード５０は、前後方向（Ｘ方向）に延在し、ベース部２００に形成された第２のレール部２９０Ｂに沿って前後方向（Ｘ方向）に往復スライドする第２のスライド片５１０Ｂを備えている。
【００５８】
そして、この第１のスライド片５１０Ａおよび第２のスライド片５１０Ｂは、幅方向（Ｙ方向）に並設されている。
【００５９】
このように、第１のスライド片５１０Ａおよび第２のスライド片５１０Ｂは、幅方向（Ｙ方向）に並んだ状態で、略平行に延在するように設けられている。
【００６０】
さらに、本実施形態では、第１のスライド片５１０Ａおよび第２のスライド片５１０Ｂは、幅方向（Ｙ方向）で互いに対向するように設けられており、幅方向（Ｙ方向）に延在する連結片（連結部）５４０によって連結されている。
【００６１】
すなわち、第１のスライド片５１０Ａおよび第２のスライド片５１０Ｂは、連結片（連結部）５４０によって一体に形成されている。
【００６２】
本実施形態では、連結片（連結部）５４０は、第１のスライド片５１０Ａの延在方向の一方側（前後方向前側）と第２のスライド片５１０Ｂの延在方向の一方側（前後方向前側）とを連結する第１の連結片（第１の連結部）５４１を備えている。
【００６３】
また、連結片（連結部）５４０は、第１のスライド片５１０Ａの延在方向の他方側（前後方向後側）と第２のスライド片５１０Ｂの延在方向の他方側（前後方向後側）とを連結する第２の連結片（第２の連結部）５４２を備えている。
【００６４】
このように、カード５０は、第１のスライド片５１０Ａ、第２のスライド片５１０Ｂ、第１の連結片（第１の連結部）５４１および第２の連結片（第２の連結部）５４２で略枠状に形成されており、略枠状のカード５０の内側には、ベース２００に形成されたカード取付部２８０を挿入する挿通穴５８０が形成されている。
【００６５】
このカード５０は、例えば、合成樹脂材料を成形加工することで形成することができる。
【００６６】
また、カード５０には、レール部２９０に沿って摺動する摺動部５１１が形成されており、この摺動部５１１をレール部２９０内で摺動させることで、ベース２００に保持されたカード５０を前後方向（Ｘ方向）に往復スライドさせている。
【００６７】
本実施形態では、摺動部５１１はスライド片５１０に形成されており、この摺動部５１１を介してスライド片５１０をレール部２９０にガイドさせながら前後方向（Ｘ方向）に往復スライドさせている。
【００６８】
すなわち、第１のスライド片５１０Ａに第１の摺動部５１１Ａを形成するとともに、第２のスライド片５１０Ｂに第２の摺動部５１１Ｂを形成することで、第１の摺動部５１１Ａを第１のレール部２９０Ａに沿って摺動させるとともに、第２の摺動部５１１Ｂを第２のレール部２９０Ｂに沿って摺動させるようにしている。
【００６９】
さらに、本実施形態では、第１のスライド片５１０Ａには、第１の摺動部５１１Ａが前後方向（Ｘ方向：第１のスライド片５１０Ａの延在方向）に２つ（複数）並設されている。また、第２のスライド片５１０Ｂには、第２の摺動部５１１Ｂが前後方向（Ｘ方向：第２のスライド片５１０Ｂの延在方向）に２つ（複数）並設されている。
【００７０】
そして、２つの第１の摺動部５１１Ａは、第１のスライド片５１０Ａの内面（挿通穴５８０側の面）に、挿通穴５８０に向けて（幅方向内側に向けて）突出するようにそれぞれ形成されている。また、２つの第２の摺動部５１１Ｂも、同様に、第２のスライド片５１０Ｂの内面（挿通穴５８０側の面）に、挿通穴５８０に向けて（幅方向内側に向けて）突出するようにそれぞれ形成されている。
【００７１】
このように、本実施形態では、略枠状のカード５０の４箇所に摺動部５１１が形成されている。なお、４つの摺動部５１１は、前後方向（Ｘ方向）の前側の第１の摺動部５１１Ａおよび第２の摺動部５１１Ｂが、幅方向（Ｙ方向）で互いに対向するように設けられており、前後方向（Ｘ方向）の後側の第１の摺動部５１１Ａおよび第２の摺動部５１１Ｂが、幅方向（Ｙ方向）で互いに対向するように設けられている。
【００７２】
また、カード５０には、可動接点部６００の後述する被押圧部６２２ａを押圧する押圧部５２０が形成されている（図１９参照）。本実施形態では、押圧部５２０は、第１のスライド片５１０Ａに設けられ、第１の連結片（第１の連結部）５４１よりも前後方向（Ｘ方向）の前方に突出する第１の押圧部５２０Ａと、第２のスライド片５１０Ｂに設けられ、第１の連結片（第１の連結部）５４１よりも前後方向（Ｘ方向）の前方に突出する第２の押圧部５２０Ｂと、で構成されている。
【００７３】
このように、カード５０の幅方向（Ｙ方向）の両側に、前方に突出する押圧部５２０をそれぞれ形成し、それぞれの押圧部５２０が可動接点部６００の被押圧部６２２ａを押圧することで、可動接点部６００の可動接点６１０をより確実に前後方向（Ｘ方向）に移動させることができるようにしている。
【００７４】
また、本実施形態では、カード５０は、上下方向（Ｚ方向：カード５０のスライド方向と交差する方向）に移動させることで、ベース２００に組み付けられるようになっている。
【００７５】
すなわち、カード５０をベース２００に組み付ける際には、ベース２００をカード５０よりも下方に位置させた状態で、カード５０を下方に移動（平行移動）させるようにしている。
【００７６】
そして、押圧部５２０には、カード５０を下方に移動させてベース２００に組み付けるようにした状態で、下方に突出する誘い込み部５３０が形成されている。この誘い込み部５３０は、カード５０を下方に移動させてベース２００に組み付ける際に、可動接点部６００の上端部を前後方向（Ｘ方向）の前方に移動させて、押圧部５２０を可動接点部６００の被押圧部６２２ａへと誘い込むために形成されたものである。
【００７７】
具体的には、誘い込み部５３０は、側面視（幅方向から視た状態）で、下方に向かうにつれて幅狭になるテーパ状をしており、先端５３１が押圧部５２０の前端５２１よりも後方に位置するように形成されている。
【００７８】
すなわち、カード５０を下方に移動させてベース２００に組み付けるようにした状態で、誘い込み部５３０の前側（可動接点部６００側）には、下方に向かうにつれて可動接点部６００から離れるように傾斜する傾斜面５３２が形成されている。本実施形態では、この傾斜面５３２は、側面視（幅方向から視た状態）で、押圧部５２０の前端５２１と誘い込み部５３０の先端５３１とを連結するように形成されている。
【００７９】
そして、この誘い込み部５３０は、各押圧部５２０のそれぞれに形成されている。すなわち、第１の押圧部５２０Ａには、先端５３１Ａと、第１の押圧部５２０Ａの前端５２１Ａと先端５３１Ａとを連結する傾斜面５３２Ａと、を有する第１の誘い込み部５３０Ａが形成されている。そして、第２の押圧部５２０Ｂには、先端５３１Ｂと、第２の押圧部５２０Ｂの前端５２１Ｂと先端５３１Ｂとを連結する傾斜面５３２Ｂと、を有する第２の誘い込み部５３０Ｂが形成されている。
【００８０】
また、カード５０には、接極子４０の突出部４２が載置される載置部５５０が形成されており、突出部４２を載置部５５０に載置させることで、カード５０を接極子本体４１の動きに連動させるようにしている。
【００８１】
具体的には、第２の連結片（第２の連結部）５４２の幅方向（Ｙ方向）の両端から前後方向（Ｘ方向）の後方に突出するように載置部５５０，５５０を形成し、各載置部５５０，５５０に一対の突出部４２，４２を載置させるようにしている。
【００８２】
この載置部５５０，５５０は、第２の連結片（第２の連結部）５４２の後端５４２ａから下方に向けて延設された前側壁５５１と、前壁部５５１の前後方向（Ｘ方向）の後方に形成され、前壁部５５１と前後方向で対向する後側壁５５２と、前壁部５５１および後側壁５５２の幅方向（Ｙ方向）の外側を連結する外側壁５５３と、前壁部５５１、後側壁５５２および外側壁５５３の下端に連設される底壁５５４と、を備えている。
【００８３】
すなわち、載置部５５０，５５０は、前壁部５５１と後側壁５５２と外側壁５５３と底壁５５４とで、上下方向（Ｚ方向）の上方および幅方向（Ｙ方向）の内側が開口するように形成されている。そして、載置部５５０，５５０の間には、接極子本体４１の通過が可能な空間部５６０が形成されている。
【００８４】
したがって、本実施形態では、一対の突出部４２，４２が上側に位置するとともに、係合凹部４１ａが後方に開口させた状態となるように接極子４０を配置し、かかる状態で一対の突出部４２，４２を上方から載置部５５０，５５０に載置させるとともに、接極子本体４１を空間部５６０に配置させる（載置部５５０，５５０の間に配置させる）ことで、接極子４０がカード５０に互いに連動可能に載置されるようにしている。
【００８５】
なお、本実施形態では、第２の連結片（第２の連結部）５４２の幅方向（Ｙ方向）の中央部から前後方向（Ｘ方向）の後方に突出するように円弧状突起５４３が形成されており、この円弧状突起５４３によって接極子４０のがたつきを抑制できるようにしている。
【００８６】
接点部６０は、固定接点７１１，７５１が形成された固定接点部７００と、固定接点７１１，７５１に接離する可動接点６１０が形成された可動接点部６００と、を有している。
【００８７】
可動接点部６００は、図１１に示すように、可動接点６１０が形成され、上述した押圧部５２０（第１の押圧部５２０Ａおよび第２の押圧部５２０Ｂ）に押圧されて弾性変形する弾性変形部６２０と、ベース２００に圧入されて可動接点部６００をベース２００に固定する圧入部６３０と、を有している。この可動接点部６００の可動接点６１０を除く部位は、例えば、板厚および板幅を有する１枚の金属製の板材をプレス成形することで形成することができる。
【００８８】
本実施形態では、弾性変形部６２０は、可動接点６１０が取り付けられる本体部６２１と、本体部６２１の幅方向（Ｙ方向）の両側から上方に分岐するように形成された分岐部６２２，６２２と、を備えている。なお、本体部６２１には、図示せぬ挿通孔が形成されており、この挿通孔に可動接点６１０を固定することで、可動接点６１０が本体部６２１に固定されるようになっている。また、本実施形態では、本体部６２１の前後方向（Ｘ方向：板厚方向）の両側に可動接点６１０が形成されている。
【００８９】
分岐部６２２，６２２の前後方向（Ｘ方向）の後側の面には、押圧部５２０（第１の押圧部５２０Ａおよび第２の押圧部５２０Ｂ）に押圧される被押圧部６２２ａ，６２２ａとなる領域がそれぞれ設けられている。
【００９０】
そして、この被押圧部６２２ａ，６２２ａが押圧部５２０（第１の押圧部５２０Ａおよび第２の押圧部５２０Ｂ）に押圧されることで、弾性変形部６２０（本体部６２１および分岐部６２２，６２２）が前後方向（Ｘ方向）の前方に弾性変形し、可動接点６１０が前方に移動することになる。
【００９１】
なお、可動接点部６００は、カード５０が往復スライド範囲において最も後側に位置する状態（電磁石ブロック３０が非励磁の状態）のときでも、押圧部５２０（第１の押圧部５２０Ａおよび第２の押圧部５２０Ｂ）によって前方に押圧されるようにしている。すなわち、可動接点部６００およびカード５０をベース２００に組み付けた際には、可動接点部６００の弾性変形部６２０が、自由状態（可動接点部６００のみをベース２００に組み付けた状態：カード５０によって干渉されていない状態）のときよりも、前方に変位した状態となるようにしている。こうすることで、可動接点部６００の弾性変形部６２０が後方に付勢された状態でベース２００に組み付けられるようにしている。
【００９２】
また、本実施形態では、第１の押圧部５２０Ａおよび第２の押圧部５２０Ｂのそれぞれの幅（Ｙ方向の幅）を、各分岐部６２２，６２２の幅（Ｙ方向の幅）よりも広くなるようにしている。すなわち、各分岐部６２２，６２２に形成された被押圧部６２２ａ，６２２ａのほぼ全面が、第１の押圧部５２０Ａや第２の押圧部５２０Ｂと当接する（面接触する）ようになっている。
【００９３】
ここで、本実施形態では、可動接点部６００の被押圧部６２２ａ，６２２ａにおける第１の押圧部５２０Ａおよび第２の押圧部５２０Ｂと当接する端縁（Ｙ方向両端の縁部）にＲ部６２２ｂ，６２２ｂを形成している（図１８参照）。
【００９４】
このように、Ｒ部６２２ｂ，６２２ｂを形成することで、第１の押圧部５２０Ａや第２の押圧部５２０Ｂと当接する（面接触する）領域にエッジが形成されてしまうのを抑制することができるようにしている。こうすることで、第１の押圧部５２０Ａや第２の押圧部５２０Ｂが被押圧部６２２ａ，６２２ａによって削られてしまうのを抑制できるようにしている。
【００９５】
したがって、Ｒ部６２２ｂ，６２２ｂは、少なくとも被押圧部６２２ａ，６２２ａの上下方向（Ｚ方向）の下端から上端にかけて形成されるようにするのが好ましい。
【００９６】
さらに、分岐部６２２，６２２の先端（上端）まで、すなわち、被押圧部６２２ａ，６２２ａおよび分岐部６２２，６２２における被押圧部６２２ａ，６２２ａよりも上部の端縁（Ｙ方向両端の縁部）にもＲ部が形成されるようにするのが好ましい。こうすれば、カード５０をベース２００に組み付ける際に（押圧部５２０を被押圧部６２２ａに誘い込む際に）、第１の押圧部５２０Ａや第２の押圧部５２０Ｂが分岐部６２２，６２２の端縁によって削られてしまうのを抑制することができる。
【００９７】
また、本実施形態では、カード５０を下方に移動させてベース２００に組み付けるようにした状態で、可動接点部６００の被押圧部６２２ａよりも上側に、誘い込み部５３０から離れる方向に屈曲した屈曲部６２２ｃを形成している。
【００９８】
すなわち、分岐部６２２，６２２の被押圧部６２２ａ，６２２ａよりも上側には、先端が誘い込み部５３０から離れる方向に屈曲した屈曲部６２２ｃ，６２２ｃがそれぞれ形成されている。
【００９９】
こうすることで、カード５０を下方に移動させて誘い込み部５３０Ａ，５３０Ｂによって分岐部６２２，６２２に力が加えられた際に生じる水平方向分力（分岐部６２２，６２２を前方に移動させるように働く力）を大きくすることができる。その結果、より確実に弾性変形部６２０（本体部６２１および分岐部６２２，６２２）を前後方向（Ｘ方向）前方に弾性変形させて、可動接点６１０を前方に移動させることができるようになる。
【０１００】
なお、分岐部６２２，６２２の被押圧部６２２ａ，６２２ａよりも上側に、前側上方（誘い込み部５３０側）に凸となるＲ部を形成するようにしてもよい。すなわち、分岐部６２２，６２２の被押圧部６２２ａ，６２２ａよりも上側を、前端が前方に位置するように湾曲させてもよい。
【０１０１】
圧入部６３０には、圧入突起６３１が形成されており、圧入部６３０をベース２００の可動接点部圧入部２２３に圧入固定することで、可動接点部６００がベース２００に組み付けられるようにしている。
【０１０２】
また、圧入部６３０の幅方向（Ｙ方向）の両端には、下方に突出し、ハウジング２０の下方から露出する可動側端子部６４０，６４０が形成されている。本実施形態では、可動側端子部６４０，６４０の厚さ（Ｘ方向：板厚方向の厚さ）が、弾性変形部６２０の厚さ（Ｘ方向：板厚方向の厚さ）よりも厚くなるようにしている。こうすることで、弾性変形部６２０を弾性変形させやすくしつつ、可動側端子部６４０，６４０の強度を確保できるようにしている。
【０１０３】
可動側端子部６４０，６４０の厚さを厚くする方法としては、例えば、板状の部材における可動側端子部に該当する部位を折り曲げる方法がある。
【０１０４】
また、本実施形態では、弾性変形部６２０の圧入部６３０側（下側）に、２つの（複数の）穴６５０，６５０が、弾性変形部６２０と圧入部６３０との境界線Ｌに沿って、すなわち、Ｙ方向（可動接点部６００の幅方向）に沿って、並ぶように形成されている。
【０１０５】
そして、２つ（複数）の穴６５０，６５０は、上下方向（Ｚ方向：境界線Ｌと交差する方向）に細長くなるように形成されている。この２つ（複数）の穴６５０，６５０は、本実施形態では、下側が圧入部６３０に位置するように形成されている。すなわち、各穴６５０，６５０は、境界線Ｌが含まれるようにした状態で、上下に細長く延びるように形成されている。
【０１０６】
このように、２つの（複数の）穴６５０，６５０を、弾性変形部６２０と圧入部６３０との境界線Ｌに沿って並設することで、弾性変形部６２０を弾性変形させる際に、弾性変形部６２０と圧入部６３０との境界線Ｌの近傍に生じる応力を分散させることができ、可動接点部６００の塑性変形を抑制できるようにしている。
【０１０７】
なお、弾性変形部６２０と圧入部６３０との境界線Ｌは、実際には、明確に示すことができないものであるが、全体としてはＹ方向に沿うものである。そこで、本実施形態では、図１１に示すように、可動接点部６００の下部の幅広となる部分よりも下側を圧入部６３０とし、その幅広となる部分に形成される直線（仮想線）を、便宜上、弾性変形部６２０と圧入部６３０との仮想の境界線Ｌとしている。そして、弾性変形部６２０と圧入部６３０との境界線Ｌに沿うとは、Ｙ方向に沿う（可動接点部６００の幅方向に沿う）ことを意味している。
【０１０８】
かかる構成をした可動接点部６００は、可動側端子部６４０，６４０の先端をベース２００の上側から後述する可動側端子挿通孔２１４，２１４にそれぞれ挿通させるとともに、圧入部６３０を可動接点部圧入部２２３に圧入固定することで、可動側端子部６４０，６４０がハウジング２０の下方から露出した状態で、可動接点部６００がベース２００に組み付けられる。
【０１０９】
なお、ハウジング２０の下方から露出する可動側端子部６４０にはプリント基板などの相手側部材が電気的に接続される。
【０１１０】
一方、固定接点部７００は、可動接点６１０の移動に伴って当該可動接点６１０に接離する第１の固定接点７１１を有し、ベース２００の可動接点部６００よりも後側（カード５０側）に配置される第１の固定接点部７１０を備えている。
【０１１１】
また、固定接点部７００は、可動接点６１０の移動に伴って当該可動接点６１０に接離する第２の固定接点７５１を有し、ベース２００の可動接点部６００よりも前側（カード５０側とは反対側）に配置される第２の固定接点部７５０を備えている。
【０１１２】
このように、本実施形態では、接点部６０は、第１の固定接点部７１０と、第２の固定接点部７５０と、第１の固定接点部７１０と第２の固定接点部７５０との間に配置される可動接点部６００と、を備えている。
【０１１３】
そして、電磁石ブロック３０を励磁させたり、非励磁にしたりすることで、カード５０を前後方向（Ｘ方向）に往復スライドさせた際には、可動接点部６００の可動接点６１０が、第１の固定接点７１１および第２の固定接点７５１のいずれかに接触するようにしている。
【０１１４】
また、本実施形態では、第１の固定接点部７１０を常閉接点としている。すなわち、電磁石ブロック３０が非励磁の状態で、第１の固定接点７１１が可動接点６１０に接触しており、電磁石ブロック３０を励磁させることで、第１の固定接点７１１が可動接点６１０から離間するようにしている。一方、第２の固定接点部７５０を常開接点としている。すなわち、電磁石ブロック３０が非励磁の状態で、第２の固定接点７５１が可動接点６１０から離間しており、電磁石ブロック３０を励磁させることで、第２の固定接点７５１が可動接点６１０に接触するようにしている。
【０１１５】
第１の固定接点部７１０は、図１２に示すように、第１の固定接点７１１が形成され、板厚および板幅を有する本体部７１２と、本体部７１２に連設されるとともに、下方に突出する第１の固定側端子部（端子部）７１３，７１３と、を有している。この第１の固定接点部７１０の第１の固定接点７１１を除く部位は、例えば、１枚の金属製の板材をプレス成形して屈曲させることで形成することができる。また、本体部７１２の上部には、挿通孔７１２ａが形成されており、この挿通孔７１２ａに第１の固定接点７１１を固定することで、第１の固定接点７１１が本体部７１２に固定されている。
【０１１６】
そして、第１の固定接点部７１０は、第１の固定側端子部７１３，７１３の先端をベース２００の上側から後述する第１の固定側端子挿通孔２１３，２１３にそれぞれ挿通させるとともに、本体部７１２の下部を第１の固定接点部圧入部２２１に圧入固定することで、第１の固定側端子部７１３，７１３がハウジング２０の下方から露出した状態で、第１の固定接点部７１０がベース２００に組み付けられる。
【０１１７】
なお、ハウジング２０の下方から露出する第１の固定側端子部７１３にはプリント基板などの相手側部材が電気的に接続される。
【０１１８】
一方、第２の固定接点部７５０は、図１３に示すように、第２の固定接点７５１が形成され、板厚および板幅を有する本体部７５２と、本体部７５２に連設されるとともに、下方に突出する第２の固定側端子部（端子部）７５３，７５３と、を有している。この第２の固定接点部７５０の第２の固定接点７５１を除く部位も、例えば、１枚の金属製の板材をプレス成形して屈曲させることで形成することができる。また、本体部７５２の上部には、挿通孔７５２ａが形成されており、この挿通孔７５２ａに第２の固定接点７５１を固定することで、第２の固定接点７５１が本体部７５２に固定されている。
【０１１９】
そして、第２の固定接点部７５０は、第２の固定側端子部７５３，７５３の先端をベース２００の上側から後述する第２の固定側端子挿通孔２１５，２１５にそれぞれ挿通させるとともに、本体部７５２の下部を第２の固定接点部圧入部２２２に圧入固定することで、第２の固定側端子部７５３，７５３がハウジング２０の下方から露出した状態で、第２の固定接点部７５０がベース２００に組み付けられる。
【０１２０】
なお、ハウジング２０の下方から露出する第２の固定側端子部７５３にはプリント基板などの相手側部材が電気的に接続される。
【０１２１】
ここで、本実施形態では、同一形状の固定接点素材８００を用い、当該固定接点素材８００を屈曲させることで、第１の固定接点部７１０および第２の固定接点部７５０を形成している。
【０１２２】
すなわち、第１の固定接点部７１０の本体部７１２および第１の固定側端子部７１３，７１３は、厚さが略一定の板状の固定接点素材８００を屈曲させることで形成されている。そして、第２の固定接点部７５０の本体部７５２および第２の固定側端子部７５３，７５３も、同様に、板状の固定接点素材８００を屈曲させることで形成されている。
【０１２３】
このように、第１の固定接点部７１０および第２の固定接点部７５０を形成する固定接点素材８００は、本体部７１２や本体部７５２となる本体部形成予定部８１０を備えている（図１４参照）。また、固定接点素材８００は、第１の固定側端子部７１３，７１３や第２の固定側端子部７５３，７５３となる端子部形成予定部８２０を備えている（図１４参照）。
【０１２４】
そして、本実施形態では、端子部形成予定部８２０は、基部８２１が本体部形成予定部８１０の下側（一端側）に連結されている。さらに、端子部形成予定部８２０は、先端８２２が基部８２１よりも本体部形成予定部８１０の上側（他端側）に位置するように形成されている。
【０１２５】
具体的には、端子部形成予定部８２０の基部８２１が本体部形成予定部８１０の下端８１１に連設されており、端子部形成予定部８２０は、本体部形成予定部８１０よりも幅方向の外側に突出するように形成されている。そして、端子部形成予定部８２０は、幅方向外側の端部から上方に向けて延在するように屈曲された形状をしている。また、端子部形成予定部８２０の上下方向に延在する部位は、途中で幅方向内側および上方に屈曲するクランク状に形成されている。
【０１２６】
すなわち、端子部形成予定部８２０は、本体部形成予定部８１０の下端８１１に連設された基部８２１を有し、幅方向の外側に延びる第１の水平延設部８２３と、第１の水平延設部８２３の外端８２３ａから上側に向かって延びる第１の垂直延設部８２４と、第１の垂直延設部８２４の上端８２４ａから幅方向の内側に延びる第２の水平延設部８２５と、先端８２２を有し、第２の水平延設部８２５の内端８２５ａから上側に向かって延びる第２の垂直延設部８２６と、を備えている。
【０１２７】
このように、本体部形成予定部８１０の下端８１１に連設された端子部形成予定部８２０は、途中で上方に折り曲げられた形状をしており、先端８２２が上方を向くように形成されている。
【０１２８】
そして、端子部形成予定部８２０を先端８２２が本体部形成予定部８１０の下側（一端側）に向けて突出するように曲げることで、第１の固定側端子部７１３，７１３や第２の固定側端子部７５３，７５３を形成している。
【０１２９】
具体的には、端子部形成予定部８２０を第１曲げ部Ａ１で約９０°屈曲させるとともに、第２曲げ部Ａ２で約９０°屈曲させることで、第１の固定側端子部７１３，７１３を形成している（図１２（ｃ）および図１４（ｂ）参照）。このとき、第１曲げ部Ａ１で屈曲させる方向と第２曲げ部Ａ２で屈曲させる方向とが同一の方向となるようにしている（図１２（ｃ）の矢印ａ１，ａ２参照）。そのため、上方を向いた先端８２２は１８０°回転して下方を向くようになる。このように、端子部形成予定部８２０を同方向に２回屈曲させることで、上方を向いた先端８２２が下方を向くようにしつつ、本体部形成予定部８１０よりも下方に突出するようにしている。こうすることで、第１の固定接点部７１０の本体部７１２および第１の固定側端子部７１３，７１３を形成している。
【０１３０】
また、端子部形成予定部８２０を第１曲げ部Ｂ１で約９０°屈曲させるとともに、第２曲げ部Ｂ２で約９０°屈曲させることで、第２の固定側端子部７５３，７５３を形成している（図１３（ｃ）および図１４（ｂ）参照）。このとき、第１曲げ部Ｂ１で屈曲させる方向と第２曲げ部Ｂ２で屈曲させる方向とが同一の方向となるようにしている（図１３（ｃ）の矢印ｂ１，ｂ２参照）。そのため、上方を向いた先端８２２は１８０°回転して下方を向くようになる。このように、端子部形成予定部８２０を同方向に２回屈曲させることで、上方を向いた先端８２２が下方を向くようにしつつ、本体部形成予定部８１０よりも下方に突出するようにしている。こうすることで、第２の固定接点部７５０の本体部７５２および第２の固定側端子部７５３，７５３を形成している。
【０１３１】
このように、本実施形態では、第１の固定接点部７１０および第２の固定接点部７５０は、同一形状の固定接点素材８００を用いて本体部および端子部が形成されている。
【０１３２】
本実施形態では、設計上の都合等によって、第１の固定接点部７１０と第２の固定接点部７５０とで、本体部の位置から端子部の露出部分の位置までの距離が異なるようにしている。そのため、端子部形成予定部８２０の曲げ位置を第１の固定接点部７１０を形成する場合と第２の固定接点部７５０を形成する場合とで異ならせている。すなわち、第１曲げ部Ａ１の位置と第１曲げ部Ｂ１の位置とを異ならせるとともに、第２曲げ部Ａ２の位置と第２曲げ部Ｂ２の位置とを異ならせている。
【０１３３】
しかしながら、本体部の位置から端子部の露出部分の位置までの距離を同一とする場合には、同一の箇所で屈曲させることで、第１の固定接点部７１０および第２の固定接点部７５０を形成することができる。この場合、第１の固定接点部７１０の形状と第２の固定接点部７５０の形状は同一の形状となる。
【０１３４】
ベース２００は、図１５〜図１７に示すように、前後方向（Ｘ方向）に細長い略長方形状の基底部２１０を備えており、この基底部２１０には、電磁石ブロック３０および接点部６０が組み付けられている。
【０１３５】
また、ベース２００の基底部２１０には、電磁石ブロック３０と接点部６０との絶縁距離を確保するための絶縁壁２４０が形成されている。本実施形態では、絶縁壁２４０は、基底部２１０に一体に形成されている。
【０１３６】
このベース２００は、例えば、合成樹脂材料を成形加工することで形成することができる。
【０１３７】
そして、ベース２００の基底部２１０は、絶縁壁２４０によって接点部取付部（接点部配置領域）２２０と電磁石ブロック取付部（電磁石ブロック配置領域）２３０とに区画されている。このとき、基底部２１０の前後方向（Ｘ方向）の前側に接点部取付部（接点部配置領域）２２０が形成されるとともに、基底部２１０の前後方向（Ｘ方向）の後側に電磁石ブロック取付部（電磁石ブロック配置領域）２３０が形成されている。
【０１３８】
基底部２１０の接点部取付部（接点部配置領域）２２０の前後方向（Ｘ方向）の後側には、第１の固定接点部７１０の本体部７１２の下部が圧入される第１の固定接点部圧入部２２１が形成されている。
【０１３９】
また、接点部取付部（接点部配置領域）２２０における第１の固定接点部圧入部２２１の前後方向（Ｘ方向）の後側には、第１の固定側端子部７１３，７１３が挿通される第１の固定側端子挿通孔２１３，２１３が、基底部２１０の厚さ方向（Ｚ方向）に貫通するように形成されている。この第１の固定側端子挿通孔２１３，２１３は、接点部取付部（接点部配置領域）２２０の幅方向（Ｙ方向）の両端にそれぞれ形成されている。
【０１４０】
そして、基底部２１０の接点部取付部（接点部配置領域）２２０の前後方向（Ｘ方向）の中央部には、可動接点部６００の圧入部６３０が圧入される可動接点部圧入部２２３が形成されている。
【０１４１】
また、接点部取付部（接点部配置領域）２２０における可動接点部圧入部２２３の幅方向（Ｙ方向）の両端には、可動側端子部６４０，６４０がそれぞれ挿通される可動側端子挿通孔２１４，２１４が、基底部２１０の厚さ方向（Ｚ方向）に貫通するように形成されている。
【０１４２】
さらに、基底部２１０の接点部取付部（接点部配置領域）２２０の前後方向（Ｘ方向）の前側には、第２の固定接点部７５０の本体部７５２の下部が圧入される第２の固定接点部圧入部２２２が形成されている。
【０１４３】
また、接点部取付部（接点部配置領域）２２０における第２の固定接点部圧入部２２２の前後方向（Ｘ方向）の前側には、第２の固定側端子部７５３，７５３が挿通される第２の固定側端子挿通孔２１５，２１５が、基底部２１０の厚さ方向（Ｚ方向）に貫通するように形成されている。この第２の固定側端子挿通孔２１５，２１５は、接点部取付部（接点部配置領域）２２０の幅方向（Ｙ方向）の両端にそれぞれ形成されている。
【０１４４】
そして、接点部取付部（接点部配置領域）２２０における第１の固定接点部７１０と可動接点部６００との間には、隔壁２１１が、幅方向（Ｙ方向）に延在するとともに、上下方向（Ｚ方向）の上方に向けて立ち上がるように立設されている。そして、この隔壁２１１によって、第１の固定接点部７１０と可動接点部６００とを仕切ることで、第１の固定接点７１１と可動接点６１０との間の絶縁距離を確保している。また、隔壁２１１を設けることで、第１の固定接点７１１と可動接点６１０とが接離する際に生じる消耗粉によって第１の固定接点部７１０と可動接点部６００とが短絡してしまったり、基底部２１０が絶縁劣化してしまったりするのを抑制できるようにしている。
【０１４５】
なお、隔壁２１１には、前後方向（Ｘ方向）の後方、すなわち、第１の固定接点部圧入部２２１側に向けて突出する圧入突起２１１ａ、および、前後方向（Ｘ方向）の前方、すなわち、可動接点部圧入部２２３側に向けて突出する圧入突起２１１ｂが形成されている。
【０１４６】
また、接点部取付部（接点部配置領域）２２０における可動接点部６００と第２の固定接点部７５０との間には、隔壁２１２が、幅方向（Ｙ方向）に延在するとともに、上下方向（Ｚ方向）の上方に向けて立ち上がるように立設されている。そして、この隔壁２１２によって、可動接点部６００と第２の固定接点部７５０とを仕切ることで、可動接点６１０と第２の固定接点７５１の間の絶縁距離を確保している。また、隔壁２１２を設けることで、可動接点６１０と第２の固定接点７５１とが接離する際に生じる消耗粉によって可動接点部６００と第２の固定接点部７５０とが短絡してしまったり、基底部２１０が絶縁劣化してしまったりするのを抑制できるようにしている。
【０１４７】
なお、隔壁２１２には、前後方向（Ｘ方向）の前方、すなわち、第２の固定接点部圧入部２２２側に向けて突出する圧入突起２１２ａが形成されている。また、基底部２２０には、前後方向（Ｘ方向）の後方、すなわち、可動接点部圧入部２２３側に向けて突出する圧入突起２１２ｂが形成されている。
【０１４８】
また、基底部２１０を、接点部取付部（接点部配置領域）２２０と電磁石ブロック取付部（電磁石ブロック配置領域）２３０とに区画する絶縁壁２４０は、隔壁部２６０を備えている。
【０１４９】
この隔壁部２６０は、基底部２１０における電磁石ブロック３０と接点部６０との間から幅方向（Ｙ方向）に延在するとともに、上下方向（Ｚ方向）の上方に向けて立ち上がるように立設されている。本実施形態では、前後方向（Ｘ方向）から視た状態で、電磁石ブロック３０および接点部６０が隔壁部２６０の外側にはみ出さないように、当該隔壁部２６０を基底部２１０に形成している。
【０１５０】
このように、本実施形態では、基底部２１０は、隔壁部２６０によって、接点部取付部（接点部配置領域）２２０と電磁石ブロック取付部（電磁石ブロック配置領域）２３０とに前後方向で区画されている。
【０１５１】
また、絶縁壁２４０は、ベース２００に組み付けられた電磁石ブロック３０を覆う周壁部２５０を備えている。
【０１５２】
本実施形態では、周壁部２５０は、前後方向（Ｘ方向）に延在するように形成されており、周壁部２５０の前端２５０ａが隔壁部２６０の外周縁２６０ａに連設されている。また、周壁部２５０は、幅方向（Ｙ方向）の一端２５０ｂが基底部２１０の一端側の長辺部２１０ａに連設されるとともに、幅方向（Ｙ方向）の他端２５０ｃが基底部２１０の他端側の長辺部２０１ｂに連設されている。
【０１５３】
したがって、本実施形態では、基底部２１０と周壁部２５０と隔壁部２６０とで前後方向（Ｘ方向）の後側に開口する電磁石ブロック収容空間２７０が画成されている。そして、電磁石ブロック３０を前後方向（Ｘ方向）の後側から前側に移動（平行移動）させることで、電磁石ブロック３０は、電磁石ブロック収容空間２７０内に収容された状態で、ベース２００に組み付けられる。
【０１５４】
なお、本実施形態では、周壁部２５０は、電磁石ブロック取付部（電磁石ブロック配置領域）２３０の前後方向（Ｘ方向）の前側のみに形成されている。すなわち、電磁石ブロック取付部（電磁石ブロック配置領域）２３０の前後方向（Ｘ方向）の後側には、周壁部２５０よりも前後方向（Ｘ方向）の後側に突出する後側突出部２３１が形成されている。
【０１５５】
この後側突出部２３１には、台座部３２３，３２３が載置される載置部２３２，２３２と、台座部３２３，３２３に形成された挟持片３２３ｂ，３３２ｂによって挟持される被挟持部２３１ａと、が形成されている。
【０１５６】
また、被挟持部２３１ａには、ばね部３６２との干渉を抑制するための逃げ溝２３３，２３３が形成されている。
【０１５７】
周壁部２５０は、基底部２１０の長辺部２１０ａ，２１０ｂにそれぞれ連設され、長辺部２１０ａ，２１０ｂから前後方向（Ｘ方向）に延在するとともに、上下方向（Ｚ方向）の上方に向けて立ち上がるように立設された第１側壁（下部側壁）２５１，２５１を備えている。また、周壁部２５０は、第１側壁（下部側壁）２５１，２５１よりも幅方向（Ｙ方向）の内側で上下方向（Ｚ方向）の上方に向けて立ち上がるように立設された第２側壁（上部側壁）２５２，２５２を備えている。
【０１５８】
さらに、周壁部２５０は、第１側壁（下部側壁）２５１，２５１の上端２５１ｂ，２５１ｂと第２側壁（上部側壁）２５２，２５２の下端２５２ａ，２５２ａとを連結する連結壁２５３，２５３と、第２側壁（上部側壁）２５２，２５２の上端２５２ｂ，２５２ｂ同士を連結する天壁部２５４と、を備えている。
【０１５９】
本実施形態では、連結壁２５３，２５３は、幅方向（Ｙ方向）の内側に屈曲した形状をしている。
【０１６０】
また、第１側壁（下部側壁）２５１，２５１の幅方向（Ｙ方向）の内側の下部には、幅方向（Ｙ方向）の内側に向けて突出する突条２５１ａ，２５１ａが形成されており、この突条２５１ａ，２５１ａと基底部２１０との間には、係合突条３５２ｂ，３５２ｂが挿入される係合溝２７１，２７１が形成されている。
【０１６１】
このように、本実施形態では、上述した第１側壁（下部側壁）２５１，２５１、第２側壁（上部側壁）２５２，２５２、連結壁２５３，２５３、および天壁部２５４で、周壁部２５０を形成している。そして、隔壁部２６０の外周形状（前後方向から視た状態における輪郭形状）を、上述した周壁部２５０の外周形状（前後方向から視た状態における輪郭形状）に対応した形状としている。
【０１６２】
さらに、本実施形態では、絶縁壁２４０の上部に、カード５０が保持されるカード保持部２８０を形成している。
【０１６３】
このカード保持部２８０は、絶縁壁２４０（ベース２００）のうち、カード５０を組み付ける際に、上述したカード５０の挿通穴５８０に挿通される部分である。
【０１６４】
そして、このカード保持部２８０には、カード５０のスライドをガイドするレール部２９０が形成されている。このように、本実施形態では、レール部２９０は、周壁部２５０の上側（基底部２１０とは反対側）に形成されている。
【０１６５】
このレール部２９０は、第２側壁（上部側壁）２５２，２５２と連結壁２５３，２５３とで、前後方向（Ｘ方向）に延在するとともに、上下方向（Ｚ方向）の上方および幅方向（Ｙ方向）の外側に開口するように形成されている。
【０１６６】
すなわち、レール部２９０は、略平行に延在する第１のレール部２９０Ａおよび第２のレール部２９０Ｂを有している。
【０１６７】
ここで、本実施形態では、レール部２９０に抜け止め部２９１を形成し、カード保持部２８０にカード５０をより確実に保持させることができるようにした。
【０１６８】
この抜け止め部２９１は、摺動部５１１がレール部２９０から外れてしまうのを抑制する機能を有するものである。
【０１６９】
特に、本実施形態では、カード保持部２８０にカード５０を保持した状態で、当該カード５０を往復スライドさせた際に、摺動部５１１がレール部２９０から外れてしまうのを抑制できるように、抜け止め部２９１を設けている。
【０１７０】
すなわち、カード５０を往復スライドさせた際における一端側の位置から他端側の位置までの間のいずれの位置にカード５０があったとしても、摺動部５１１のレール部２９０からの外れが抜け止め部２９１によって抑制されるようにしている。
【０１７１】
なお、カード５０を往復スライドさせた際における一端側の位置とは、電磁リレー１を組み立てた状態で電磁石ブロック３０を励磁させて、カード５０を前後方向（Ｘ方向）で最も前側にスライドさせた状態とした場合におけるカード５０の位置のことである。一方、他端側の位置とは、電磁リレー１を組み立てた状態で電磁石ブロック３０を非励磁にして、カード５０を前後方向（Ｘ方向）で最も後側にスライドさせた状態とした場合におけるカード５０の位置のことである。
【０１７２】
また、本実施形態では、抜け止め部２９１は、レール部２９０の上側に、幅方向（Ｙ方向）の外側に突出するように形成されており、カード保持部２８０にカード５０を保持した状態で、摺動部５１１の上方に位置するようになっている。
【０１７３】
さらに、１つのレール部２９０には、２つ（複数）の抜け止め部２９１，２９１が、前後方向（Ｘ方向：レール部２９０の延在方向）で並ぶように設けられている。
【０１７４】
そして、レール部２９０における隣り合う抜け止め部２９１，２９１の間には、摺動部５１１の通過を許容する空間部２９２が形成されている。なお、本実施形態では、前側に形成された抜け止め部２９１の前方にも、摺動部５１１の通過を許容する空間部２９２が形成されている。
【０１７５】
そして、以下のようにしてカード５０をカード保持部２８０に保持させることで、抜け止め部２９１によって摺動部５１１の抜け止めがなされるようにしている。
【０１７６】
まず、カード５０を上下方向（Ｚ方向：レール部２９０の延在方向と交差する方向）下方側に移動させて、摺動部５１１を空間部２９２からレール部２９０内に導入する。
【０１７７】
そして、摺動部５１１をレール部２９０内に導入した状態でカード５０を前後方向（Ｘ方向：レール部２９０の延在方向）後側に移動させる。このとき、上下方向（Ｚ方向：レール部２９０の延在方向と交差する方向）から視て、摺動部５１１と抜け止め部２９１とが少なくとも一部で重なり合うようにする。
【０１７８】
こうすることで、カード５０が、抜け止め部２９１によって摺動部５１１の抜け止めがなされた状態で、カード保持部２８０（ベース２００）に往復スライド可能に保持されることとなる。
【０１７９】
また、本実施形態では、摺動部５１１および当該摺動部５１１のレール部２９０からの外れを抑制する抜け止め部２９１のうち少なくともいずれか一方である抜け止め部２９１に、テーパ部２９１ａを形成している。具体的には、カード５０をカード保持部２８０に保持させる際に、摺動部５１１と干渉する可能性のある抜け止め部２９１の前側上部に、下方かつ前方に傾斜するようにテーパ部２９１ａを形成している。なお、抜け止め部２９１の前側上部にＲ部を形成するようにしてもよい。また、摺動部５１１の後側下部にテーパ部やＲ部を形成することも可能である。
【０１８０】
このように、摺動部５１１および当該摺動部５１１のレール部２９０からの外れを抑制する抜け止め部２９１のうち少なくともいずれか一方に、テーパ部やＲ部を形成することで、カード５０をベース２００へ組み付ける際に、よりスムースにカード５０をベース２００に組み付けることができるようになる。また、カード５０をベース２００に組み付ける際に、摺動部５１１と抜け止め部２９１とが接触してカード５０が削れてしまうことによる異物発生を抑制することができる。
【０１８１】
さらに、本実施形態では、抜け止め部２９１は、第１のレール部２９０Ａに形成され、第１の摺動部５１１Ａの第１のレール部２９０Ａからの外れを抑制する第１の抜け止め部２９１Ａを備えている。
【０１８２】
また、抜け止め部２９１は、第２のレール部２９０Ｂに形成され、第２の摺動部５１１Ｂの第２のレール部２９０Ｂからの外れを抑制する第２の抜け止め部２９１Ｂを備えている。
【０１８３】
そして、第１のレール部２９０Ａには、２つ（複数）の第１の抜け止め部２９１Ａ，２９１Ａが、前後方向（Ｘ方向：第１のレール部２９０Ａの延在方向）に並んで設けられており、第１のレール部２９０Ａにおける隣り合う第１の抜け止め部２９１Ａ，２９１Ａの間には、第１の摺動部５１１Ａの通過を許容する第１の空間部２９２Ａが形成されている。なお、本実施形態では、前側に形成された第１の抜け止め部２９１Ａの前方にも、第１の摺動部５１１Ａの通過を許容する第１の空間部２９２Ａが形成されている。
【０１８４】
また、第２のレール部２９０Ｂには、２つ（複数）の第２の抜け止め部２９１Ｂ，２９１Ｂが、前後方向（Ｘ方向：第２のレール部２９０Ｂの延在方向）に並んで設けられており、第２のレール部２９０Ｂにおける隣り合う第２の抜け止め部２９１Ｂ，２９１Ｂの間には、第２の摺動部５１１Ｂの通過を許容する第２の空間部２９２Ｂが形成されている。なお、本実施形態では、前側に形成された第２の抜け止め部２９１Ｂの前方にも、第２の摺動部５１１Ｂの通過を許容する第２の空間部２９２Ｂが形成されている。
【０１８５】
そして、２つ（複数）の第１の摺動部５１１Ａのうちのいずれか１つ（前側の第１の摺動部５１１Ａ）が、２つ（複数）の第１の抜け止め部２９１Ａのうちのいずれか１つ（前側の第１の抜け止め部２９１Ａ）によって第１のレール部２９０Ａからの外れが抑制されるようにしている。
【０１８６】
また、２つ（複数）の第１の摺動部５１１Ａのうちの他の１つ（後側の第１の摺動部５１１Ａ）が、２つ（複数）の第１の抜け止め部２９１Ａのうちの他の１つ（後側の第１の抜け止め部２９１Ａ）によって第１のレール部２９０Ａからの外れが抑制されるようにしている。
【０１８７】
一方、２つ（複数）の第２の摺動部５１１Ｂのうちのいずれか１つ（前側の第２の摺動部５１１Ｂ）が、２つ（複数）の第２の抜け止め部２９１Ｂのうちのいずれか１つ（前側の第２の抜け止め部２９１Ｂ）によって第２のレール部２９０Ｂからの外れが抑制されるようにしている。
【０１８８】
そして、２つ（複数）の第２の摺動部５１１Ｂのうちの他の１つ（後側の第２の摺動部５１１Ｂ）が、２つ（複数）の第２の抜け止め部２９１Ｂのうちの他の１つ（後側の第２の抜け止め部２９１Ｂ）によって第２のレール部２９０Ｂからの外れが抑制されるようにしている。
【０１８９】
このように、本実施形態では、略枠状のカード５０の前後左右に離れた４箇所に摺動部５１１が形成されており、カード保持部２８０の前後左右に離れた４箇所に抜け止め部２９１が形成されている。そして、カード保持部２８０にカード５０を組み付けた際には、カード保持部２８０の４箇所に形成された抜け止め部２９１が４箇所の摺動部５１１にそれぞれ一対一で対応し、各摺動部５１１は、それぞれに対応する抜け止め部２９１によって抜け止めがなされている。
【０１９０】
また、４つの抜け止め部２９１のそれぞれには、上述したテーパ部２９１ａが形成されている。
【０１９１】
具体的には、カード５０をカード保持部２８０に保持させる際に、第１の摺動部５１１Ａのそれぞれと干渉する可能性のある２つの第１の抜け止め部２９１のそれぞれの前側上部に、下方かつ前方に傾斜するようにテーパ部２９１ａＡを形成している。一方、カード５０をカード保持部２８０に保持させる際に、第２の摺動部５１１Ｂのそれぞれと干渉する可能性のある２つの第２の抜け止め部２９１Ｂのそれぞれの前側上部に、下方かつ前方に傾斜するようにテーパ部２９１ａＢを形成している。
【０１９２】
次に、かかる構成をした電磁リレー１の組立方法の一例を説明する。
【０１９３】
まず、第１の固定接点部７１０を、第１の固定側端子部７１３，７１３の先端が下方を向くようにした状態で、上方から下方に移動させることで、ベース２００の接点部取付部（接点部配置領域）２２０に組み付ける（図２０参照）。
【０１９４】
具体的には、第１の固定側端子部７１３，７１３の先端をベース２００の上側から第１の固定側端子挿通孔２１３，２１３にそれぞれ挿通させるとともに、本体部７１２の下部を第１の固定接点部圧入部２２１に上側から圧入固定する。
【０１９５】
こうして、第１の固定側端子部７１３，７１３がハウジング２０の下方から露出した状態で、第１の固定接点部７１０をベース２００の接点部取付部（接点部配置領域）２２０に組み付ける。
【０１９６】
次に、可動接点部６００を、可動側端子部６４０，６４０の先端が下方を向くようにした状態で、上方から下方に移動させることで、ベース２００の接点部取付部（接点部配置領域）２２０に組み付ける（図２０参照）。
【０１９７】
具体的には、可動側端子部６４０，６４０の先端をベース２００の上側から可動側端子挿通孔２１４，２１４にそれぞれ挿通させるとともに、圧入部６３０を可動接点部圧入部２２３に上側から圧入固定する。
【０１９８】
こうして、可動側端子部６４０，６４０がハウジング２０の下方から露出した状態で、可動接点部６００をベース２００の接点部取付部（接点部配置領域）２２０に組み付ける。
【０１９９】
なお、第１の固定接点部７１０のベース２００への組み付けおよび可動接点部６００のベース２００への組み付けは、可動接点部６００のベース２００への組み付けを先に行ってもよいし、同時に行ってもよい。
【０２００】
その後、カード５０を上方から下方に移動させることで、ベース２００のカード保持部２８０に組み付ける（図２１参照）。
【０２０１】
具体的には、ベース２００をカード保持部２８０が上方に位置するように配置するとともに、カード５０をカード保持部２８０の上方に位置するように配置する（図２２参照）。
【０２０２】
このとき、前側の第１の摺動部５１１Ａが、前側に形成された第１の抜け止め部２９１Ａの前方に形成された第１の空間部２９２Ａに上下方向（Ｚ方向）で対向している。
【０２０３】
一方、前側の第２の摺動部５１１Ｂが、前側に形成された第２の抜け止め部２９１Ｂの前方に形成された第２の空間部２９２Ｂに上下方向（Ｚ方向）で対向している。
【０２０４】
また、後側の第１の摺動部５１１Ａが、２つの第１の抜け止め部２９１Ａの間に形成された第１の空間部２９２Ａに上下方向（Ｚ方向）で対向している。
【０２０５】
一方、後側の第２の摺動部５１１Ｂが、２つの第２の抜け止め部２９１Ｂの間に形成された第２の空間部２９２Ｂに対向している。
【０２０６】
そして、各誘い込み部５３０の先端５３１が、分岐部６２２の屈曲部６２２ｃに上下方向（Ｚ方向）でそれぞれ対向している。
【０２０７】
そして、かかる状態としたカード５０を上下方向（Ｚ方向）の下方に平行移動させる（図２２の矢印ｃ１参照）。
【０２０８】
すると、各誘い込み部５３０の先端５３１が、分岐部６２２の屈曲部６２２ｃにそれぞれ当接して、弾性変形部６２０（本体部６２１および分岐部６２２，６２２）が弾性変形して前後方向（Ｘ方向）の前方に移動する（図２２の矢印ｄ参照）。
【０２０９】
なお、弾性変形部６２０（本体部６２１および分岐部６２２，６２２）は、カード５０を上下方向（Ｚ方向）の下方に平行移動させる程、誘い込み部５３０によって押圧されて前後方向（Ｘ方向）前方に弾性変形（移動）することとなる。
【０２１０】
そして、４つの摺動部５１１が空間部２９２を介してレール部２９０内に収容されるまでカード５０を上下方向（Ｚ方向）の下方に平行移動させて、押圧部５２０が可動接点部６００の被押圧部６２２ａへと誘い込まれるようにする。すなわち、押圧部５２０が、前後方向（Ｘ方向）の後側で被押圧部６２２ａに当接するようにする。
【０２１１】
そして、４つの摺動部５１１をレール部２９０内に収容させた状態で、カード５０を前後方向（Ｘ方向）の後側に平行移動（スライド）させる（図２２の矢印ｃ２参照）。この前後方向（Ｘ方向）の後側へのカード５０の平行移動（スライド）は、弾性変形部６２０（本体部６２１および分岐部６２２，６２２）の弾性復元力を利用して行うことができる（図２２の矢印ｄ参照）。
【０２１２】
そして、上下方向（Ｚ方向：レール部２９０の延在方向と交差する方向）から視て、摺動部５１１と抜け止め部２９１とが少なくとも一部で重なり合うまで、カード５０を前後方向（Ｘ方向）の後側に平行移動（スライド）させる。
【０２１３】
こうして、カード５０が、抜け止め部２９１によって摺動部５１１の抜け止めがなされた状態で、カード保持部２８０（ベース２００）に往復スライド可能に保持される。
【０２１４】
なお、本実施形態では、前後方向（Ｘ方向）の後側にカード５０を平行移動（スライド）させると、第１の連結片（第１の連結部）５４１の後端や誘い込み部５３０の後端が隔壁部２６０の前面に当接し、それ以上の移動が規制されるようになっている。
【０２１５】
次に、別工程で予め組み立てられた電磁石ブロック３０を、前後方向（Ｘ方向）の前方に平行移動させて、ベース２００の電磁石ブロック取付部（電磁石ブロック配置領域）２３０に組み付ける（図２３参照）。
【０２１６】
具体的には、電磁石ブロック３０を、継鉄３５０の横壁部３５２が下側になるとともに、ヒンジばね３６０のばね部３６２が後方を向くようにした状態で、電磁石ブロック収容空間２７０の開口に対向させる。
【０２１７】
そして、横壁部３５２の幅方向（Ｙ方向）の両端に設けられた係合突条３５２ｂ，３５２ｂを係合溝２７１，２７１に挿入させながら、電磁石ブロック３０を電磁石ブロック収容空間２７０内に収容する。このとき、電磁石ブロック３０は、係合突条３５２ｂ，３５２ｂが係合溝２７１，２７１に係合され、被挟持部２３１ａが一対の挟持片３２３ｂ，３２３ｂで挟持され、台座部３２３，３２３が載置部２３２，２３２にそれぞれ載置された状態で、ベース２００に組み付けられる。
【０２１８】
なお、電磁石ブロック３０のベース２００への組み付けは、カード５０のベース２００への組み付けの前に行うこともできるし、カード５０のベース２００への組み付けと同時に行うこともできる。また、第１の固定接点部７１０のベース２００への組み付けや可動接点部６００のベース２００への組み付けよりも前に、電磁石ブロック３０のベース２００への組み付けを行うこともできる。
【０２１９】
また、電磁石ブロック３０は予め組み立てられている必要はなく、電磁石ブロック３０の組立を、第１の固定接点部７１０、可動接点部６００およびカード５０のベース２００への組み付けと平行して行うようにすることも可能である。
【０２２０】
次に、接極子４０の一対の突出部４２を載置部５５０に載置させるとともに、ばね部３６２の係止片３６２ｃを接極子４０の係合凹部４１ａに係合させることで、カード５０を接極子本体４１の動きに連動させるようにする（図２４参照）。
【０２２１】
具体的には、一対の突出部４２，４２が上側に位置するとともに、係合凹部４１ａが後方に開口させた状態となるようにした接極子４０をカード５０の上方に配置し、かかる状態とした接極子４０を上下方向（Ｚ方向）の下方に平行移動させる。
【０２２２】
そして、一対の突出部４２，４２を上方から載置部５５０，５５０に載置させるとともに、接極子本体４１を空間部５６０に挿通させ、ばね部３６２の係止片３６２ｃを接極子４０の係合凹部４１ａに係合させる。こうすることで、接極子４０がカード５０に互いに連動可能に載置される。
【０２２３】
次に、第２の固定接点部７５０を、第２の固定側端子部７５３，７５３の先端が下方を向くようにした状態で、上方から下方に移動させることで、ベース２００の接点部取付部（接点部配置領域）２２０に組み付ける（図２５および図２６参照）。
【０２２４】
具体的には、第２の固定側端子部７５３，７５３の先端をベース２００の上側から第２の固定側端子挿通孔２１５，２１５にそれぞれ挿通させるとともに、本体部７５２の下部を第２の固定接点部圧入部２２２に上側から圧入固定する。
【０２２５】
こうして、第２の固定側端子部７５３，７５３がハウジング２０の下方から露出した状態で、第２の固定接点部７５０をベース２００の接点部取付部（接点部配置領域）２２０に組み付ける。
【０２２６】
その後、カバー２０１を上方から取り付けて図示せぬ接着剤により固定することで、電磁リレー１が組み立てられる。
【０２２７】
なお、各部材の組み付け順は上記の順序に限られるものではないが、カード５０は、少なくとも可動接点部６００および第１の固定接点部７１０がベース２００に組み付けられた後にベース２００に組み付けられるようにするのが好ましい。
【０２２８】
また、接極子４０は、少なくともカード５０および電磁石ブロック３０がベース２００に組み付けられた後にカード５０および電磁石ブロック３０に組み付けられるようにするのが好ましい。
【０２２９】
そして、第２の固定接点部７５０は、接極子４０がカード５０および電磁石ブロック３０に組み付けられた後にベース２００に組み付けられるようにするのが好ましい。
【０２３０】
次に、電磁リレー１の動作について説明する。
【０２３１】
まず、コイル３１０に電圧が印加されていない（通電されていない）場合には、電磁石ブロック３０が非励磁の状態であり、接極子４０は、ヒンジばね３６０のばね部３６２の付勢力によって磁極部（鉄芯３３０の頭部３３１）から離れている。すなわち、接極子４０の上端を前後方向（Ｘ方向）の後方に回動させた状態となっている。そのため、第１の固定接点７１１と可動接点６１０とが当接しているとともに、可動接点６１０と第２の固定接点７５１とが離間している。
【０２３２】
そして、コイル３１０に電圧を印加（通電）して、電磁石ブロック３０を励磁させると、接極子４０の前面と磁極部（鉄芯３３０の頭部３３１）の磁極面（後面）との間に磁力が発生して、接極子４０が磁極部（鉄芯３３０の頭部３３１）の磁極面（後面）に吸引される。すなわち、接極子４０が下部を中心として前方に回動する。
【０２３３】
そして、この接極子４０の回動（移動、揺動）に伴って、カード５０の押圧部５２０が前方にスライドし、この押圧部５２０が可動接点部６００の被押圧部６２２ａを押圧して弾性変形部６２０（本体部６２１および分岐部６２２，６２２）を第２の固定接点部７５０側（前方）に弾性変形させる。こうして、弾性変形部６２０の本体部６２１に取り付けられた可動接点６１０が第１の固定接点７１１から離間し、第２の固定接点７５１に当接する。
【０２３４】
一方、コイル３１０への電圧印加を解除（通電を解除）すると、ばね部３６２の付勢力によって、接極子４０が、下部を中心として後方に回動し、可動接点６１０が第２の固定接点７５１から離間し、第１の固定接点７１１に当接することとなる。
【０２３５】
以上説明したように、本実施形態にかかる電磁リレー１は、ベース２００と、ベース２００に組み付けられる電磁石ブロック３０と、電磁石ブロック３０の励磁、非励磁によって往復移動する接極子４０と、接極子４０の移動に伴ってスライドするカード５０と、を備えている。
【０２３６】
また、電磁リレー１は、カード５０のスライドに伴って移動する可動接点６１０を有し、ベース２００に組み付けられる可動接点部６００と、可動接点６１０の移動に伴って当該可動接点６１０が接離する固定接点７１１，７５１を有し、ベース２００に組み付けられる固定接点部７００と、を備えている。
【０２３７】
また、本実施形態では、固定接点部７００は、固定接点７１１，７５１が取り付けられる本体部７１２，７５２と、本体部７１２，７５２に連設されるとともにベース２００に挿入される端子部７１３，７５３と、を備えている。
【０２３８】
また、本体部７１２，７５２および端子部７１３，７５３は、板状の固定接点素材８００を屈曲することで形成されている。すなわち、固定接点７１１，７５１と、固定接点７１１，７５１が形成される本体部７１２，７５２と、本体部７１２，７５２に連設される端子部７１３，７５３と、を備える固定接点部７００の本体部７１２，７５２および端子部７１３，７５３を形成するために固定接点素材８００を用いている。
【０２３９】
この固定接点素材８００は、本体部７１２，７５２となる本体部形成予定部８１０と、端子部７１３，７５３となる端子部形成予定部８２０と、を備えている。
【０２４０】
さらに、端子部形成予定部８２０は、基部８２１が本体部形成予定部８１０の下側（一端側）に連結されるとともに、先端８２２が基部８２１よりも本体部形成予定部８１０の上側（他端側）に位置するように形成されている。
【０２４１】
そして、端子部形成予定部８２０を先端８２２が本体部形成予定部８１０の下側（一端側）に向けて突出するように曲げることで、端子部７１３，７５３が形成されている。
【０２４２】
こうすれば、板状の部材から固定接点素材８００を形成する際に、無駄となる領域を小さく（無駄な材料の量を少なく）することができるため、材料の歩留まりをより向上させることができ、コストの削減を図ることができる。
【０２４３】
また、本実施形態では、固定接点部７００は、可動接点６１０の移動に伴って当該可動接点６１０に接離する第１の固定接点７１１を有し、ベース２００の後側（ベース２００の可動接点部６００よりもカード５０側）に配置される第１の固定接点部７１０を備えている。また、可動接点６１０の移動に伴って当該可動接点６１０に接離する第２の固定接点７５１を有し、ベース２００の前側（ベース２００の可動接点部６００よりもカード５０側とは反対側）に配置される第２の固定接点部７５０を備えている。
【０２４４】
そして、第１の固定接点部７１０と第２の固定接点部７５０とは、同一形状の固定接点素材８００を用いて本体部７１２，７５２および端子部７１３，７５３が形成されている。
【０２４５】
こうすることで、第１の固定接点部７１０の本体部７１２および端子部７１３を形成するための固定接点素材と、第２の固定接点部７５０の本体部７５２および端子部７５３を形成するための固定接点素材とを別個に用意する必要がなくなる。このように、固定接点素材を共用化することで、型抜き用の金型を共通化することができるため、コストをより削減させることができるようになる。
【０２４６】
また、本実施形態では、ベース２００には、カード５０のスライドをガイドするレール部２９０が形成されており、カード５０には、レール部２９０に沿って摺動する摺動部５１１が形成されている。
【０２４７】
そして、レール部２９０には、摺動部５１１のレール部２９０からの外れを抑制する抜け止め部２９１が形成されている。
【０２４８】
こうすれば、カード５０を可動接点部６００に係合させる必要がなくなるため、カード５０をベース２００に組み付ける際等にカード５０が削れてしまうことによる異物発生を抑制することができる。
【０２４９】
また、本実施形態では、カード５０がベース２００に往復スライド可能に取り付けられている。
【０２５０】
そして、カード５０を往復スライドさせた際の一端側の位置から他端側の位置までの間のいずれの位置にカード５０があったとしても、摺動部５１１のレール部２９０からの外れを抜け止め部２９１が抑制するようにしている。
【０２５１】
こうすることで、電磁リレー１の通常の使用時に、カード５０がベース２００から外れてしまうのを抑制することができるようになる。
【０２５２】
また、本実施形態では、レール部２９０には、抜け止め部２９１がＸ方向（レール部２９０の延在方向）に複数並設されるとともに、レール部２９０における隣り合う抜け止め部２９１の間には、摺動部５１１の通過を許容する空間部２９２が形成されている。
【０２５３】
そして、カード５０をＺ方向（レール部２９０の延在方向と交差する方向）に移動させて摺動部５１１を空間部２９２からレール部２９０内に導入し、摺動部５１１をレール部２９０内に導入した状態でカード５０をＸ方向（レール部２９０の延在方向）に移動させ、Ｚ方向（レール部２９０の延在方向と交差する方向）から視た際に摺動部５１１と抜け止め部２９１とが少なくとも一部重なり合うようにすることで、カード５０がベース２００に往復スライド可能に保持されるようにしている。
【０２５４】
こうすれば、カード５０をとり容易にベース２００へ組み付けることができるようになる。
【０２５５】
また、本実施形態では、抜け止め部２９１（摺動部５１１および当該摺動部５１１のレール部２９０からの外れを抑制する抜け止め部２９１のうち少なくともいずれか一方）に、テーパ部２９１ａ（テーパ部およびＲ部のうち少なくともいずれか一方）を形成している。
【０２５６】
こうすれば、カード５０をベース２００に組み付ける際に、摺動部５１１と抜け止め部２９１とが干渉してしまうのが抑制され、よりスムースにカード５０をベース２００に組み付けることができるようになる。
【０２５７】
また、本実施形態では、レール部２９０は、略平行に延在する第１のレール部２９０Ａおよび第２のレール部２９０Ｂを有している。
【０２５８】
一方、摺動部５１１は、第１のレール部２９０Ａに沿って摺動する第１の摺動部５１１Ａと、第２のレール部２９０Ｂに沿って摺動する第２の摺動部５１１Ｂと、を有している。
【０２５９】
そして、抜け止め部２９１は、第１のレール部２９０Ａに形成され、第１の摺動部５１１Ａの第１のレール部２９０Ａからの外れを抑制する第１の抜け止め部２９１Ａと、第２のレール部２９０Ｂに形成され、第２の摺動部５１１Ｂの第２のレール部２９０Ｂからの外れを抑制する第２の抜け止め部２９１Ｂと、を有している。
【０２６０】
こうすれば、カード５０をスライドさせる際にカード５０ががたついてしまうのを抑制することができ、カード５０をよりスムースにスライドさせることができるようになる。
【０２６１】
また、本実施形態では、カード５０は、第１の摺動部５１１Ａが形成され、Ｘ方向（第１のレール部２９０Ａの延在方向）に延在する第１のスライド片５１０Ａと、第２の摺動部５１１Ｂが形成され、Ｘ方向（第２のレール部２９０Ｂの延在方向）に延在する第２のスライド片５１０Ｂと、第１のスライド片５１０Ａと第２のスライド片５１０Ｂとを連結する連結部５４０と、を備えている。
【０２６２】
このように、２つのスライド片５１０を一体化させることで、スライド片５１０を補強することができ、カード５０の変形を抑制することができる。その結果、カード５０をよりスムースにスライドさせることができるようになる。
【０２６３】
また、本実施形態では、連結部５４０は、第１のスライド片５１０ＡのＸ方向前側（第１のスライド片５１０Ａの延在方向の一方側）と第２のスライド片５１０ＢのＸ方向前側（第２のスライド片５１０Ｂの延在方向の一方側）とを連結する第１の連結片（第１の連結部）５４１を備えている。また、第１のスライド片５１０ＡのＸ方向後側（第１のスライド片５１０Ａの延在方向の他方側）と第２のスライド片５１０ＢのＸ方向後側（第２のスライド片５１０Ｂの延在方向の他方側）とを連結する第２の連結片（第２の連結部）５４２を備えている。
【０２６４】
このように、２つのスライド片５１０を２箇所で一体化させることで、スライド片５１０を補強することができ、カード５０の変形をより一層抑制することができるようになる。その結果、カード５０をよりスムースにスライドさせることができるようになる。
【０２６５】
また、本実施形態では、第１のレール部２９０Ａには、第１の抜け止め部２９１ＡがＸ方向（第１のレール部２９０Ａの延在方向）に複数並設されるとともに、第１のレール部２９０Ａにおける隣り合う第１の抜け止め部２９１Ａの間には、第１の摺動部５１１Ａの通過を許容する第１の空間部２９２Ａが形成されている。
【０２６６】
そして、第２のレール部２９０Ｂには、第２の抜け止め部２９１ＢがＸ方向（第２のレール部２９０Ｂの延在方向）に複数並設されるとともに、第２のレール部２９０Ｂにおける隣り合う第２の抜け止め部２９１Ｂの間には、第２の摺動部５１１Ｂの通過を許容する第２の空間部２９２Ｂが形成されている。
【０２６７】
こうすれば、カード５０をＺ方向に平行移動させるだけで、第１の摺動部５１１Ａを第１のレール部２９０Ａ内に収容させつつ、第２の摺動部５１１Ｂを第２のレール部２９０Ｂ内に収容させることができ、カード５０を容易にベース２００へ組み付けることができるようになる。
【０２６８】
また、本実施形態では、第１のスライド片５１０Ａには、第１の摺動部５１１ＡがＸ方向（第１のスライド片５１０Ａの延在方向）に複数並設されるとともに、第２のスライド片５１０Ｂには、第２の摺動部５１１ＢがＸ方向（第２のスライド片５１０Ｂの延在方向）に複数並設されている。
【０２６９】
そして、前側の第１の摺動部５１１Ａ（複数の第１の摺動部５１１Ａのうちのいずれか１つ）が前側の第１の抜け止め部２９１Ａ（複数の第１の抜け止め部２９１Ａのうちのいずれか１つ）によって第１のレール部２９０Ａからの外れが抑制されている。
【０２７０】
また、後側の第１の摺動部５１１Ａ（複数の第１の摺動部５１１Ａのうちの他の１つ）が後側の第１の抜け止め部２９１Ａ（複数の第１の抜け止め部２９１Ａのうちの他の１つ）によって第１のレール部２９０Ａからの外れが抑制されている。
【０２７１】
一方、前側の第２の摺動部５１１Ｂ（複数の第２の摺動部５１１Ｂのうちのいずれか１つ）が前側の第２の抜け止め部２９１Ｂ（複数の第２の抜け止め部２９１Ｂのうちのいずれか１つ）によって第２のレール部２９０Ｂからの外れが抑制されている。
【０２７２】
さらに、後側の第２の摺動部５１１Ｂ（複数の第２の摺動部５１１Ｂのうちの他の１つ）が後側の第２の抜け止め部２９１Ｂ（複数の第２の抜け止め部２９１Ｂのうちの他の１つ）によって第２のレール部２９０Ｂからの外れが抑制されている。
【０２７３】
こうすることで、カード５０がベース２００に４箇所で保持されるため、カード５０をより確実にベース２００に保持することができ、カード５０のスライド時のがたつきをより抑制することができるようになる。
【０２７４】
また、本実施形態では、ベース２００は、電磁石ブロック３０、可動接点部６００および固定接点部７００が組み付けられる基底部２１０と、基底部２１０に組み付けられた電磁石ブロック３０を基底部２１０に組み付けられた可動接点部６００および固定接点部７００から絶縁する絶縁壁２４０と、を備えている。
【０２７５】
さらに、絶縁壁２４０は、基底部２１０に連設されて当該基底部２１０を電磁石ブロック取付部（電磁石ブロック配置領域）２３０と接点部取付部（接点部配置領域）２２０とに区画する隔壁部２６０と、隔壁部２６０および基底部２１０に連設され、基底部２１０に組み付けられた電磁石ブロック３０の周囲を覆う周壁部２５０と、を備えている。
【０２７６】
そして、周壁部２５０の上側（周壁部２５０の基底部２１０とは反対側）にレール部２９０が形成されている。
【０２７７】
このように、基底部２１０から離れた位置でカード５０をベース２００に保持させるようにすることで、構成を複雑化させることなく可動接点６１０の近傍をカード５０で押圧することができるようになる。すなわち、カード５０の構成をより簡素化することができるようになる。
【０２７８】
また、本実施形態では、カード５０には、可動接点部６００の被押圧部６２２ａを押圧する押圧部５２０が形成されており、可動接点部６００の被押圧部６２２ａにおける押圧部５２０と当接する端縁にＲ部６２２ｂが形成されている。
【０２７９】
このように、Ｒ部６２２ｂを形成することで、押圧部５２０と当接する領域にエッジが形成されてしまうのを抑制することができ、押圧部５２０が被押圧部６２２ａによって削られてしまうのを抑制できるようになる。
【０２８０】
また、本実施形態では、接極子４０は、接極子本体４１と、接極子本体４１から外方に向けて突出する突出部４２と、を備えており、カード５０には、突出部４２が載置され、カード５０を接極子本体４１の動きに連動させる載置部５５０が形成されている。
【０２８１】
このように、接極子４０をカード５０に載置させるようにすれば、カード５０を接極子４０に圧入させる必要がなくなるため、カード５０の組付時等にカード５０が削れてしまうことによる異物発生を抑制することができる。
【０２８２】
また、本実施形態では、固定接点部７００は、可動接点６１０の移動に伴って当該可動接点６１０に接離する第１の固定接点７１１を有し、ベース２００の後側（ベース２００の可動接点部６００よりもカード５０側）に配置される第１の固定接点部７１０を備えている。
【０２８３】
また、可動接点６１０の移動に伴って当該可動接点６１０に接離する第２の固定接点７５１を有し、ベース２００の前側（ベース２００の可動接点部６００よりもカード５０側とは反対側）に配置される第２の固定接点部７５０を備えている。
【０２８４】
そして、カード５０は、少なくとも可動接点部６００および第１の固定接点部７１０がベース２００に組み付けられた後にベース２００に組み付けられている。
【０２８５】
また、接極子４０は、少なくともカード５０および電磁石ブロック３０がベース２００に組み付けられた後にカード５０および電磁石ブロック３０に組み付けられている。
【０２８６】
そして、第２の固定接点部７５０は、接極子４０がカード５０および電磁石ブロック３０に組み付けられた後にベース２００に組み付けられている。
【０２８７】
こうすれば、カード５０の組付時に、前方に移動した可動接点部６００が第２の固定接点部７５０に干渉してしまうことを抑制することができる。その結果、第２の固定接点部７５０が変形してしまうのを抑制することができるようになる。
【０２８８】
また、本実施形態では、カード５０を上下方向（カード５０のスライド方向と交差する方向）に移動させることで、カード５０がベース２００に組み付けられるようにしている。
【０２８９】
また、カード５０には、可動接点部６００の被押圧部６２２ａを押圧する押圧部５２０が形成されている。
【０２９０】
そして、カード５０を下方に移動させてベース２００に組み付けるようにした状態で、押圧部５２０には、下方に突出し、可動接点部６００を移動させて押圧部５２０を可動接点部６００の被押圧部６２２ａへと誘い込む誘い込み部５３０が形成されている。
【０２９１】
こうすれば、カード５０を下方に移動させてベース２００に組み付ける際には、誘い込み部５３０によって可動接点部６００が前方に移動するため、押圧部５２０を可動接点部６００の被押圧部６２２ａへと容易に誘い込むことができる。その結果、カード５０をより容易にベース２００に組み付けることができるようになる。特に、本実施形態では、カード５０を下方に移動させる際に可動接点部６００を手作業で前方に移動させる必要がなくなるため、機械による組立を容易に行うことができる。また、電磁リレー１の組立速度をより速めることが可能となる。
【０２９２】
また、本実施形態では、カード５０を下方に移動させてベース２００に組み付けるようにした状態で、誘い込み部５３０の前側（誘い込み部５３０の可動接点部６００側）に、下方に向かうにつれて可動接点部６００から離れるように傾斜する傾斜面５３２を形成している。
【０２９３】
このような傾斜面５３２を形成することで、傾斜面５３２によってスムースに可動接点部６００を前方に移動させることができるようになり、より確実に押圧部５２０を可動接点部６００の被押圧部６２２ａへと誘い込むことができるようになる。
【０２９４】
また、本実施形態では、カード５０を下方に移動させてベース２００に組み付けるようにした状態で、可動接点部６００の被押圧部６２２ａよりも上側に、誘い込み部５３０から離れる方向に屈曲した屈曲部６２２ｃを形成している。
【０２９５】
こうすれば、より容易に押圧部５２０を可動接点部６００の被押圧部６２２ａへと誘い込むことができる。特に、誘い込み部５３０から離れる方向に屈曲した屈曲部６２２ｃとすることで、カード５０から屈曲部６２２ｃに加えられる水平方向分力をより大きくすることができるため、可動接点部６００をより確実に前方へ移動させることができるようになる。
【０２９６】
なお、カード５０を下方に移動させてベース２００に組み付けるようにした状態で、可動接点部６００の被押圧部６２２ａよりも上側に、後側（誘い込み部５３０側）に凸となるＲ部を形成してもよい。
【０２９７】
このように、可動接点部６００の被押圧部６２２ａよりも上側にＲ部を形成することによっても、より容易に押圧部５２０を可動接点部６００の被押圧部６２２ａへと誘い込むことができる。
【０２９８】
また、本実施形態では、可動接点部６００は、ベース２００に圧入される圧入部６３０と、当該圧入部６３０に連設されて弾性変形する弾性変形部６２０と、を備えている。
【０２９９】
そして、弾性変形部６２０の下側（圧入部６３０側）には、Ｙ方向に沿って（弾性変形部６２０と圧入部６３０との境界線Ｌに沿って）複数の穴６５０が並設されている。
【０３００】
こうすれば、弾性変形部６２０と圧入部６３０との境界線Ｌに生じる応力を分散させることができ、可動接点部６２０の塑性変形を抑制することができるようになる。
【０３０１】
また、本実施形態では、複数の穴６５０は、Ｚ方向（境界線Ｌと交差する方向）に細長くなるように形成されている。
【０３０２】
こうすれば、弾性変形部６２０をより弾性変形部させやすくすることができ、可動接点部６００の塑性変形をより確実に抑制することができる。
【０３０３】
以上、本発明の好適な実施形態について例示して説明したが、上記実施形態には限定されず、種々の変形が可能である。
【０３０４】
例えば、電磁石ブロックや接点部、その他細部のスペック（形状、大きさ、レイアウト等）を適宜に変更することが可能である。
【符号の説明】
【０３０５】
１  電磁リレー
２００  ベース
３０  電磁石ブロック
４０  接極子
５０  カード
６００  可動接点部
６１０  可動接点
７００  固定接点部
７１０  第１の固定接点部
７１１  第１の固定接点（固定接点）
７１２  本体部
７１３  第１の固定側端子部（端子部）
７５０  第２の固定接点部
７５１  第２の固定接点（固定接点）
７５２  本体部
７５３  第２の固定側端子部（端子部）
８００  固定接点素材
８１０  本体部形成予定部
８２０  端子部形成予定部
８２１  基部
８２２  先端
【図１】
0006590314.tif 000002
【図２】
0006590314.tif 000003
【図３】
0006590314.tif 000004
【図４】
0006590314.tif 000005
【図５】
0006590314.tif 000006
【図６】
0006590314.tif 000007
【図７】
0006590314.tif 000008
【図８】
0006590314.tif 000009
【図９】
0006590314.tif 000010
【図１０】
0006590314.tif 000011
【図１１】
0006590314.tif 000012
【図１２】
0006590314.tif 000013
【図１３】
0006590314.tif 000014
【図１４】
0006590314.tif 000015
【図１５】
0006590314.tif 000016
【図１６】
0006590314.tif 000017
【図１７】
0006590314.tif 000018
【図１８】
0006590314.tif 000019
【図１９】
0006590314.tif 000020
【図２０】
0006590314.tif 000021
【図２１】
0006590314.tif 000022
【図２２】
0006590314.tif 000023
【図２３】
0006590314.tif 000024
【図２４】
0006590314.tif 000025
【図２５】
0006590314.tif 000026
【図２６】
0006590314.tif 000027